(57)【要約】【課題】プラズマ表示パネルの温度が所定温度範囲以外の温度になる場合，アドレス期間及び維持期間で発生する誤放電を防止することができるプラズマ表示装置とその駆動方法を提供する。【解決手段】第１電極と第２電極及びこれらと交差する方向に形成される第３電極によって容量性負荷が形成され，第３電極に電気的に連結されたインダクタ及び容量性負荷の共振を利用して第３電極にアドレス電圧を印加する電力回収回路を含むプラズマ表示装置の駆動方法であって，プラズマパネルの温度を測定する第１段階と，測定された温度を利用してアドレス期間に電力回収動作遂行の要否を決定する第２段階と，第１電極にリセット波形を印加する第３段階と，第３段階以降，第２段階で決定された電力回収動作遂行の要否に基づいて，アドレス期間にアドレス電圧を生成して第３電極にアドレス電圧を印加する段階と，を含む。【選択図】図８
2006201777.tif 000002
【特許請求の範囲】
【請求項１】
第１電極と第２電極と前記第１電極及び第２電極と交差する方向に形成される第３電極とによって容量性負荷が形成され，前記第３電極に電気的に連結されたインダクタ及び前記容量性負荷の共振を利用して前記第３電極にアドレス電圧を印加する電力回収回路を含むプラズマ表示装置の駆動方法において：
プラズマ表示パネルの温度を測定する第１段階と；
前記測定された温度を利用してアドレス期間に電力回収動作遂行の要否を決定する第２段階と；
前記第１電極にリセット波形を印加する第３段階と；
前記第３段階以降，前記第２段階で決定された電力回収動作遂行の要否に基づいて，アドレス期間にアドレス電圧を生成して前記第３電極に印加する第４段階と；
を含むことを特徴とする，プラズマ表示装置の駆動方法。
【請求項２】
前記第２段階において，
前記プラズマ表示パネルの温度が所定温度範囲内である場合，
前記第３電極に前記電力回収回路のＬＣ共振を利用してアドレス電圧を印加すること；
を特徴とする，請求項１に記載のプラズマ表示装置の駆動方法。
【請求項３】
前記第２段階において，
前記プラズマ表示パネルの温度が所定温度範囲から外れる場合，
前記第３電極に前記電力回収回路のＬＣ共振を利用せずアドレス電圧を印加すること；
を特徴とする，請求項１に記載のプラズマ表示装置の駆動方法。
【請求項４】
第１電極と第２電極及びこれらと交差する方向に形成される第３電極によって容量性負荷が形成され，前記第１電極に電気的に連結された第１インダクタ及び前記容量性負荷の共振を利用して前記第１電極に電圧を印加する第１電力回収回路と、前記第２電極に電気的に連結された第２インダクタ及び前記容量性負荷の共振を利用して前記第２電極に電圧を印加する第２電力回収回路とを含むプラズマ表示装置の駆動方法において，
プラズマ表示パネルの温度を測定する第１段階と；
前記測定された温度を利用して前記第１及び第２電力回収回路の電力回収動作遂行の要否を決定する第２段階と；
前記第１電極にリセット波形を印加する第３段階と；
前記第３段階以降，第１電極に第１電圧を印加してスキャン動作を行う時，放電セルの中で点灯する放電セルを選択するために，前記第３電極に第２電圧を印加してアドレス動作を行う第４段階と；
前記第４段階以降，前記第２段階で決定された電力回収動作遂行の要否に基づいて維持放電パルス電圧を生成して，前記第１電極及び第２電極に前記維持放電パルス電圧を交互に印加する段階と；
を含むことを特徴とする，プラズマ表示装置の駆動方法。
【請求項５】
前記第２段階において，
前記プラズマ表示パネルの温度が所定温度範囲を外れる場合，
前記維持期間を少なくとも二つのグループに分けて，前記二つのグループの中の第１グループの維持期間では，前記第１電極及び第２電極に前記第１及び第２電力回収回路のＬＣ共振を利用せず維持放電パルス電圧を交互に印加し；
前記第１グループの次に位置する第２グループの維持期間では，前記第１電極及び第２電極に前記第１及び第２電力回収回路のＬＣ共振を利用して維持放電パルス電圧を交互に印加すること；
を特徴とする，請求項４に記載のプラズマ表示装置の駆動方法。
【請求項６】
第１電極と第２電極と，前記第１電極及び第２電極と交差して形成される第３電極とによって容量性負荷が形成され，前記第１電極に電気的に連結された第１インダクタ及び前記容量性負荷の共振を利用して前記第１電極に電圧を印加する第１電力回収回路と、前記第２電極に電気的に連結された第２インダクタ及び前記容量性負荷の共振を利用して前記第２電極に電圧を印加する第２電力回収回路と、前記第３電極に電気的に連結された第３インダクタ及び前記容量性負荷の共振を利用して前記第３電極にアドレス電圧を印加する第３電力回収回路とを含むプラズマ表示装置において，
前記第１、第２、及び第３電極を含み、前記第１電極及び第２電極と第３電極との交差地点に放電セルが形成されるプラズマ表示パネルと；
前記プラズマ表示パネルの温度を測定するパネル温度測定部と；
前記プラズマ表示パネルで，一つのフレーム期間を複数のサブフィールド期間に分割し，各サブフィールド期間をリセット期間，アドレス期間，維持期間に分割して駆動する駆動回路と；
を含み前記駆動回路は，
前記第１電極にリセット波形を印加して全ての放電セルを初期化することでアドレス動作ができるように設定し，前記放電セルの中で点灯する放電セルを選択するために前記第３電極にアドレス電圧を印加し，前記選択された放電セルの維持放電のために前記第１電極及び第２電極に交互に維持放電パルス電圧を印加し，前記プラズマ表示パネルの温度に応じて前記アドレス期間及び維持期間で前記第１乃至第３電力回収回路の中の少なくとも一つの電力回収回路の電力回収動作遂行の要否を決定すること；
を特徴とする，プラズマ表示装置。
【請求項７】
前記プラズマ表示パネルの温度が所定温度範囲を外れる場合，
前記アドレス期間に，前記放電セルの中で点灯する放電セルを選択するために，前記第３電極に前記第３電力回収回路のＬＣ共振を利用せずアドレス電圧を印加すること；
を特徴とする，請求項６に記載のプラズマ表示装置。
【請求項８】
前記プラズマ表示パネルの温度が所定温度範囲を外れる場合，
前記維持期間に，前記維持期間を少なくとも二つのグループに分けて，前記二つのグループの中の第１グループの維持期間では，前記第１電極及び第２電極に前記第１及び第２電力回収回路のＬＣ共振を利用せず維持放電パルス電圧を印加し；
前記第１グループの次に位置する第２グループの維持期間では，前記第１電極及び第２電極に前記第１及び第２電力回収回路のＬＣ共振を利用して維持放電パルス電圧を印加すること；
を特徴とする，請求項６または７に記載のプラズマ表示装置。
【発明の詳細な説明】
【技術分野】
【０００１】
本発明は，プラズマ表示パネル（ＰＤＰ）を含むプラズマ表示装置とその駆動方法に関する。
【背景技術】
【０００２】
プラズマ表示装置は，気体放電によって生成されたプラズマを用いて文字または映像を表示する平面表示装置であり，その主要部であるプラズマパネルには，大きさに応じて数十〜数百万個以上の画素がマトリックス状に配列されている。
【０００３】
一般のプラズマ表示装置の駆動方法では，一つのフレーム期間を複数のサブフィールド期間に分割し，各サブフィールドを組み合わせて階調を表示する。また，それぞれのサブフィールド期間は，リセット期間，アドレス期間，維持期間を含む。
【０００４】
リセット期間は，次のアドレス期間にアドレシング動作が放電セルに円滑に行われるように各放電セルの状態を初期化させる期間であり，アドレス期間は，プラズマパネル中で点灯するセルと点灯しないセルを区分して点灯するセル（アドレシングするセル）に壁電荷を蓄積する動作を行う期間である。維持期間は，維持放電パルスを印加してアドレシングされたセルに実際に映像を表示するための放電を行う期間である。
【０００５】
一方，このような各サブフィールドでの各動作（リセット，アドレス，維持）を行う時，走査電極Ｙと維持電極Ｘとの間，また，アドレス電極Ａと維持電極Ｙ，Ｘとの間などの放電空間は容量性負荷（以下，“パネルキャパシタ”とする）として作用するので，プラズマパネルにはキャパシタンスが存在するようになる。したがって，アドレシングのための波形を印加するためには，アドレス放電のための電力以外にもキャパシタンスに所定の電圧を発生させるための電荷注入用無効電力が多く必要になる。消費電力が多い場合には，アドレス電極の駆動ＩＣの負荷が大きくなってそのための発熱で駆動ＩＣが破壊されることもあり，アドレス駆動ＩＣには無効電力を回収して再使用する電力回収回路が一般に使用される。このような電力回収回路としてＬ．Ｆ．Ｗｅｂｅｒによって提案された回路が従来から特許文献１および特許文献２に提案されている。
【０００６】
しかし，アドレス期間にアドレス電極にアドレス電圧を印加するために電力回収回路を利用する場合には，最初から直接アドレス電圧Ｖａを印加する場合と比べて，パネルキャパシタの電圧が電圧Ｖａまで到達する時間だけ遅延するので，電圧Ｖａを維持する時間も短くなってアドレス放電が遅延するだけではなく，光波形（発光強度の時間的変化）も減少する。
【０００７】
つまり，図１Ａ及び図１Ｂを参照すれば，アドレス期間にアドレス電極にアドレス電圧Ｖａを印加するために電力回収回路を利用する場合と直接アドレス電圧Ｖａを印加する場合のそれぞれの光波形Ｌａ１とＬａ２を比べると，電力回収回路を利用する方がアドレス放電が遅延されて光波形も減少することが分かる。
【０００８】
したがって，電力回収回路を利用する場合，アドレス期間でのアドレス放電が不良になる可能性が高いという問題点がある。
【０００９】
一方，従来のプラズマ表示装置の駆動波形の印加によるアドレス期間直前の壁電荷分布状態はプラズマパネルの温度変化によって変わってしまい，特に，プラズマパネルの温度が所定温度範囲を基準に非常に高い場合と非常に低い場合に，プラズマ状の壁電荷の動きが非常に不安定になってアドレス期間でのアドレス放電で，誤放電が発生する可能性が非常に高い。
【００１０】
【特許文献１】米国特許第４，８６６，３４９号明細書
【特許文献２】米国特許第５，０８１，４００号明細書
【発明の開示】
【発明が解決しようとする課題】
【００１１】
そこで本発明は，このような問題に鑑みてなされたもので，その目的は，プラズマパネルの温度が所定温度範囲を外れる場合，アドレス期間に発生する誤放電を防止することが可能な新規かつ改良されたプラズマ表示装置とその駆動方法を提供することにある。また他の目的は，プラズマパネルの温度が所定温度範囲を外れる場合，維持期間で発生する誤放電を防止することが可能な新規かつ改良されたプラズマ表示装置とその駆動方法が提供することにある。
【課題を解決するための手段】
【００１２】
上記問題を解決するために，本発明のある観点によれば，プラズマ表示装置の駆動方法は，第１電極と第２電極及びこれらと交差する方向に形成される第３電極によって容量性負荷が形成され，上記第３電極に電気的に連結されたインダクタ及び上記容量性負荷の共振を利用して上記第３電極にアドレス電圧を印加する電力回収回路を含むプラズマ表示装置の駆動方法は，プラズマ表示パネルの温度を測定する第１段階と，上記測定された温度を利用してアドレス期間に電力回収動作遂行の要否を決定する第２段階と，上記第１電極にリセット波形を印加する第３段階と，上記第３段階以降，上記第２段階で決定された電力回収動作遂行の要否に基づいて，アドレス期間にアドレス電圧を生成して上記第３電極に印加する段階とを含むことを特徴とするプラズマ表示装置の駆動方法が提供される。
【００１３】
上記第２段階において，上記プラズマ表示パネルの温度が所定温度範囲の以内である場合，上記第３電極に上記電力回収回路のＬＣ共振を利用してアドレス電圧を印加してもよい。
【００１４】
上記第２段階において，上記プラズマ表示パネルの温度が所定温度範囲から外れる場合，上記第３電極に上記電力回収回路のＬＣ共振を利用せずアドレス電圧を印加してもよい。
【００１５】
上記問題を解決するために，本発明の別の観点によれば，第１電極と第２電極及びこれらと交差する方向に形成される第３電極によって容量性負荷が形成され，上記第１電極に電気的に連結された第１インダクタ及び上記容量性負荷の共振を利用して上記第１電極に電圧を印加する第１電力回収回路と、上記第２電極に電気的に連結された第２インダクタ及び上記容量性負荷の共振を利用して上記第２電極に電圧を印加する第２電力回収回路とを含むプラズマ表示装置の駆動方法において，プラズマ表示パネルの温度を測定する第１段階と；上記測定された温度を利用して上記第１及び第２電力回収回路の電力回収動作遂行の要否を決定する第２段階と；上記第１電極にリセット波形を印加する第３段階と；上記第３段階以降，第１電極に第１電圧を印加してスキャン動作を行う時，放電セルの中で点灯する放電セルを選択するために，上記第３電極に第２電圧を印加してアドレス動作を行う第４段階と；上記第４段階以降，上記第２段階で決定された電力回収動作遂行の要否に基づいて維持放電パルス電圧を生成して，上記第１電極及び第２電極に上記維持放電パルス電圧を交互に印加する段階と；を含むことを特徴とする，プラズマ表示装置の駆動方法が提供される。
【００１６】
上記第２段階において，上記プラズマ表示パネルの温度が所定温度範囲を外れる場合，上記維持期間を少なくとも二つのグループに分けて，上記二つのグループの中の第１グループの維持期間では，上記第１電極及び第２電極に上記第１及び第２電力回収回路のＬＣ共振を利用せず維持放電パルス電圧を交互に印加し；上記第１グループの次に位置する第２グループの維持期間では，上記第１電極及び第２電極に上記第１及び第２電力回収回路のＬＣ共振を利用して維持放電パルス電圧を交互に印加してもよい。
【００１７】
上記問題を解決するために，本発明の別の観点によれば，第１電極と第２電極と，上記第１電極及び第２電極と交差して形成される第３電極とによって容量性負荷が形成され，上記第１電極に電気的に連結された第１インダクタ及び上記容量性負荷の共振を利用して上記第１電極に電圧を印加する第１電力回収回路と、上記第２電極に電気的に連結された第２インダクタ及び上記容量性負荷の共振を利用して上記第２電極に電圧を印加する第２電力回収回路と、上記第３電極に電気的に連結された第３インダクタ及び上記容量性負荷の共振を利用して上記第３電極にアドレス電圧を印加する第３電力回収回路とを含むプラズマ表示装置において，上記第１、第２、及び第３電極を含み、上記第１電極及び第２電極と第３電極との交差地点に放電セルが形成されるプラズマ表示パネルと；上記プラズマ表示パネルの温度を測定するパネル温度測定部と；上記プラズマ表示パネルで，一つのフレーム期間を複数のサブフィールド期間に分割し，各サブフィールド期間をリセット期間，アドレス期間，維持期間に分割して駆動する駆動回路と；を含み上記駆動回路は，上記第１電極にリセット波形を印加して全ての放電セルを初期化することでアドレス動作ができるように設定し，上記放電セルの中で点灯する放電セルを選択するために上記第３電極にアドレス電圧を印加し，上記選択された放電セルの維持放電のために上記第１電極及び第２電極に交互に維持放電パルス電圧を印加し，上記プラズマ表示パネルの温度に応じて上記アドレス期間及び維持期間で上記第１乃至第３電力回収回路の中の少なくとも一つの電力回収回路の電力回収動作遂行の要否を決定すること；を特徴とする，プラズマ表示装置が提供される。
【００１８】
上記プラズマ表示パネルの温度が所定温度範囲を外れる場合，上記アドレス期間に，上記放電セルの中で点灯する放電セルを選択するために，上記第３電極に上記第３電力回収回路のＬＣ共振を利用せずアドレス電圧を印加してもよい。
【００１９】
上記プラズマ表示パネルの温度が所定温度範囲を外れる場合，上記維持期間に，上記維持期間を少なくとも二つのグループに分けて，上記二つのグループの中の第１グループの維持期間では，上記第１電極及び第２電極に上記第１及び第２電力回収回路のＬＣ共振を利用せず維持放電パルス電圧を印加し；上記第１グループの次に位置する第２グループの維持期間では，上記第１電極及び第２電極に上記第１及び第２電力回収回路のＬＣ共振を利用して維持放電パルス電圧を印加してもよい。
【発明の効果】
【００２０】
以上説明したように，本発明によれば，プラズマ表示パネルの温度が所定温度範囲を外れる場合，特に，所定温度範囲より非常に高い場合と非常に低い場合に，アドレス期間または維持期間の一部期間に電力回収回路を利用するのではなく，放電が強くなるハードスイッチングを利用することによって，上記アドレス期間または維持期間に発生するおそれがある誤放電を防止することができる。
【発明を実施するための最良の形態】
【００２１】
以下に，添付図面を参照しながら，本発明の好適な実施形態について詳細に説明する。なお，本明細書及び図面において，実質的に同一の機能構成を有する発明特定事項については，同一の符号を付することにより重複説明を省略する。
【００２２】
図２は，本発明の実施形態によるプラズマ表示パネルの電極配列を示す説明図を示す。
図２に示すように，ＰＤＰ電極はｍ×ｎのマトリックス状に形成されており，具体的に列方向にはｍ列のアドレス電極Ａ１〜Ａｍが伸びており，行方向にはｎ行の走査電極Ｙ１〜Ｙｎ及び維持電極Ｘ１〜Ｘｎが交互に伸びている。
【００２３】
図３は，本発明の実施形態によるプラズマ表示装置を示す図面である。
図３に示すように，本発明の実施形態によるプラズマ表示装置は，プラズマ表示パネル１００，アドレス駆動部２００，走査駆動部３００，維持駆動部４００，パネル温度測定部５００及び制御部６００を備える。
【００２４】
プラズマ表示パネル１００は，列方向に伸びている複数のアドレス電極Ａ１〜Ａｍ，行方向に伸びている電極Ｙ１〜Ｙｎ（以下，走査電極Ｙともいう）及び電極Ｘ１〜Ｘｎ（以下，維持電極Ｘともいう）を含む。
【００２５】
アドレス駆動部２００は，制御部６００からアドレス駆動制御信号ＳＡを受信して表示する放電セルを選択するための表示データ信号を各アドレス電極に印加する。
【００２６】
走査駆動部３００及び維持駆動部４００は，制御部６００からそれぞれ走査駆動信号ＳＹと維持駆動信号ＳＸを受信して走査電極Ｙ１〜Ｙｎと維持電極Ｘ１〜Ｘｎに印加する。
【００２７】
制御部６００は，外部から映像信号を受信して，アドレス駆動信号ＳＡ，走査駆動信号ＳＹ及び維持駆動信号ＳＸを生成して，それぞれアドレス駆動部２００，走査駆動部３００及び維持駆動部４００に伝達する。
【００２８】
パネル温度測定部５００は，プラズマ表示パネル１００の温度を測定して測定結果を制御部６００に送信する。この時，プラズマ表示パネル１００の内部に温度測定センサーを設置して，プラズマ表示パネル１００の温度を直接的に測定するだけでなく，プラズマ表示パネル１００の基板の後に温度測定センサーを設置して間接的にプラズマ表示パネル１００の温度を測定することもできる。プラズマ表示パネル１００の温度を測定する具体的な方法は，本発明の属する技術分野の通常の知識を有する者（当業者）は容易に分かるので，実施形態以外の具体的説明は省略する。
【００２９】
また，上記パネル温度測定部５００でパネル温度測定動作を行う期間は，本発明の目的を達成することができる範囲内で適切に変更できる。例えば，１フレームの全てのサブフィールドの全てのサブフィールドごとに温度測定動作を行うことも可能で，所定個数のサブフィールドごとに上記温度測定動作を行うこともできる。
【００３０】
そして，制御部６００はパネル温度測定部５００から伝達されたパネルの温度に対応して，アドレス電力回収回路を使用してアドレス電極Ａに印加されるアドレス電圧Ｖａを生成するか否かを決定し，それに伴うアドレス電圧を印加するための駆動信号を生成してアドレス駆動部２００に出力する。一方，制御部６００は，パネル温度測定部５００から伝達されたパネルの温度に対応して，電力回収回路を使用して走査電極Ｙと維持電極Ｘに印加される維持放電パルス電圧を生成するか否かを決定し，それに伴う維持放電パルスを印加するための駆動信号を生成して維持駆動部４００及び走査駆動部３００に出力する。
以下，アドレス駆動部２００に備えられたアドレス駆動回路について図面を参照して説明する。
【００３１】
図４は本発明の実施形態によるアドレス駆動回路を示す図面である。図４で使用されるスイッチング素子はnチャンネルトランジスタで示したが，ボディダイオードを有する電界効果トランジスタＦＥＴで構成されることができ，同一または類似な機能をする他のスイッチング素子で構成されることができる。また，図４では，便宜上アドレス電極Ａと走査電極Ｙまたは維持電極Ｘによって形成される容量性成分をパネルキャパシタＣｐで示した。
【００３２】
図４に示すように，本発明の実施形態によるアドレス駆動部２００の駆動回路は電力回収回路，アドレス電圧供給部及びアドレス選択回路を含む。
【００３３】
電力回収回路はキャパシタＣａ，スイッチング素子Ａｒ，Ａｆ，ダイオードＤ１，Ｄ２及びインダクタＬを含む。キャパシタＣａにはＶａ/２電圧が充電されている。スイッチング素子Ａｒのドレインとスイッチング素子Ａｆのソースとの間には電力回収用キャパシタＣａが電気的に連結され，スイッチング素子Ａｒ，ＡｆにそれぞれダイオードＤ１，Ｄ２が直列に連結される。そしてダイオードＤ１，Ｄ２間の接続点とアドレス電圧供給部のスイッチング素子Ａａ，Ａｇ間の接続点との間にインダクタＬの一端が電気的に連結される。
【００３４】
また，インダクタＬの他端にはパネルキャパシタＣｐが直列に連結される。ダイオードＤ１はスイッチング素子Ａｒがボディダイオードを有する場合，パネルキャパシタＣｐの電圧を増加させる上昇経路を設定するためのものである。そしてダイオードＤ２はスイッチング素子Ａｆがボディダイオードを有する場合，パネルキャパシタＣｐの電圧を下降させる下降経路を設定するためのものである。この時，スイッチング素子Ａｒ，Ａｆがボディダイオードを有しなければ，ダイオードＤ１，Ｄ２を除去してもよい。このように連結された電力回収回路はパネルキャパシタＣｐの電圧（つまり，アドレス電極の電圧）をＶａ電圧で充電させたり０Ｖ電圧で放電させる役割を果たす。
【００３５】
そして，電力回収回路において，インダクタＬ，ダイオードＤ１及びスイッチング素子Ａｒの間の連結順序は変わってもよく，同様にインダクタＬ，ダイオードＤ２及びスイッチング素子Ａｆの間の連結順序も変わってもよい。
【００３６】
アドレス電圧供給部はアドレス電力回収回路及び複数のアドレス選択回路（図４では一つのアドレス選択回路のみを示す）の間に連結され，二つのスイッチング素子Ａａ，Ａｇを含む。スイッチング素子Ａａはアドレス電圧Ｖａを供給する電源とアドレス選択回路のスイッチング素子ＡＨとの間に連結されており，スイッチング素子Ａｇは接地電圧を供給する電源とアドレス選択回路のスイッチング素子ＡＨとの間に連結されている。このスイッチング素子Ａａ，ＡｇはパネルキャパシタＣｐにＶａ電圧及び０Ｖ電圧をそれぞれ供給する。
【００３７】
アドレス選択回路は複数のアドレス電極Ａにそれぞれ連結され，二つのスイッチング素子ＡＨ，ＡＬをそれぞれ含む。スイッチング素子ＡＨは電力回収回路とアドレス電極Ａとの間に連結され，スイッチング素子ＡＬはアドレス電極Ａと接地電圧との間に連結され，スイッチング素子ＡＨ，ＡＬの導通または遮断がアドレス電極Ａが選択される場合または選択されない場合に対応する。
【００３８】
次に，図４を参照して本発明の実施形態によるアドレス駆動部２００の駆動回路の動作について具体的に説明する。
【００３９】
アドレス期間にアドレス電圧を供給するためにアドレス駆動回路は次の４つのモードで動作する。
【００４０】
リセット期間の終了後，電力回収用キャパシタＣａは外部印加電圧Ｖａの１/２程度の電圧（Ｖａ/２）で予め充電されることにより，アドレス放電の開始時に突入電流が発生しないようにする。この状態でスイッチＡｒ及びアドレス選択回路の駆動スイッチＡＨが導通されればモード１の動作が始まる。
【００４１】
モード１の動作期間では，電力回収用キャパシタＣａ，スイッチＡｒ，ダイオードＤ１，インダクタＬ，駆動スイッチＡＨ及びプラズマパネルキャパシタＣｐの経路によってＬＣ共振回路が形成され，インダクタＬに電流が流れてパネルの出力電圧は増加する。
【００４２】
次に，モード２の動作期間では，スイッチＡａは導通されスイッチＡｒは遮断されることにより，外部印加電圧ＶａがスイッチＡａを通してそのままパネルキャパシタＣｐに流れ，パネルの出力電圧が電圧Ｖａを維持するようになる。
【００４３】
モード２が完了すれば，スイッチＡｆは導通されスイッチＡａは遮断されるモード３が始まり，プラズマパネルキャパシタＣｐ，駆動スイッチＡＨ，インダクタＬ，ダイオードＤ２，スイッチＡｆ及び電力回収用キャパシタＣａの経路によってＬＣ共振回路が形成されて，インダクタＬに電流が流れパネルの出力電圧は減少する。
【００４４】
以降，モード４の動作期間では，スイッチＡｇは導通されスイッチＡｆは遮断されることにより，パネル出力電圧が０Ｖを維持する。この状態でスイッチＡｒが再び導通すればモード１の動作に戻って上記のモードを繰り返す。
【００４５】
以下，図面を参照して本発明の実施形態によるプラズマ表示装置の駆動波形について説明する。
【００４６】
上記壁電荷はプラズマ状として存在するが，プラズマ表示パネル１００の温度変化によって，その動きが活発になったり萎縮したりする。例えば，上記プラズマ表示パネル１００の温度が所定温度範囲に該当する場合には，壁電荷の動きが，正常的にリセット期間の終了後に，アドレス期間でアドレス放電のための所望の量ほどの壁電荷が蓄積される。これに対し，上記プラズマ表示パネル１００の温度が上記所定の温度範囲に含まれない場合，特に，上記所定の温度範囲を上回って非常に高くなったり，または上記所定の温度範囲を下回って非常に低くなる場合には，プラズマ形態の壁電荷の動きが鈍くなり，放電による壁電荷の移動が活発でなくなって各電極に所望の量ほど壁電荷が蓄積されない。これによって，放電が不良になる場合があって，特に全ての放電セルを初期化してアドレス期間での安定なアドレス放電のため壁電荷をセットアップするリセット期間の終了後，各電極に所望の量ほどの壁電荷が蓄積されない場合，以降のアドレス期間での放電が不良になって，アドレス期間に誤放電が発生することがある。
【００４７】
（第１実施形態）
したがって，以下，このような問題を解決することができる本発明の第１実施形態を図面を参照して説明する。
【００４８】
図５Ａ及び図５Ｂは，本発明の第１実施形態によるプラズマ表示装置の駆動波形を示す図面である。図５Ａは，プラズマ表示パネル１００の温度が所定温度範囲に入る場合の駆動波形を示す説明図である。
【００４９】
図５Ａで示すように，本発明の実施形態によるプラズマ表示装置の駆動方法は，時間的な動作変化で表現すると，リセット期間，アドレス期間及び維持期間を含む。
【００５０】
リセット期間は，セルにアドレス動作が円滑に行われるようにするために，各セルの状態を初期化させる期間であり，アドレス期間はパネルで点灯するセルと点灯しないセルを選択するために点灯するセル（アドレシングされたセル）にアドレス電圧を印加して壁電荷を蓄積する動作を行う期間である。維持期間は，維持放電パルスを印加してアドレシングされたセルに実際に画像を表示するための放電を行う期間である。
【００５１】
リセット期間で上昇するランプ電圧によって全ての放電セルが放電されて走査電極Ｙには多量の負電荷が蓄積され，アドレス電極Ａには多量の正電荷が蓄積される。
【００５２】
つまり，リセット期間の上昇期間では，走査電極Ｙに漸進的に上昇する電圧を印加して全てのセルを放電させ，下降期間では，維持電極Ｘを一定の電圧で印加させた状態で負のレベルであるＶｎｆ電圧まで漸進的に下降する電圧を印加して，壁電荷を消去させることによって，次のアドレス期間でのアドレシングに適切な壁電荷状態に初期化させる。つまり，走査電極Ｙに負の壁電荷，アドレス電極Ａに正の壁電荷を十分に蓄積するようにする。
【００５３】
アドレス期間は，パネルで点灯するセルと点灯しないセルを選択して点灯するセル（アドレシングされたセル）に壁電荷を蓄積する動作を行う期間である。
【００５４】
アドレス期間では，走査電極Ｙが順番にスキャンされる時（走査電極Ｙに印加された印加電圧ＶｓｃＨより低い電圧ＶｓｃＬを印加する），点灯するセルを選択するために，アドレス電極Ａに正の（＋の）アドレス電圧Ｖａを印加する。以下，アドレス電極Ａに印加されたアドレス電圧Ｖａと走査電極に印加された電圧ＶｓｃＬの差，及びアドレス電極Ａと走査電極Ｙに形成された壁電荷による壁電圧によってアドレス放電が起こり，走査電極Ｙと維持電極Ｘに壁電圧が形成される。この時，プラズマ表示パネル１００の温度が所定温度範囲に入る場合には，アドレス電極Ａに電力回収回路のＬＣ共振を通してアドレス電圧Ｖａを印加する。以下，アドレス期間の直前に，走査電極Ｙに十分に蓄積された負の壁電荷とアドレス電極Ａに十分に蓄積された正の壁電荷を通じてアドレス放電が安定的に起こる。
【００５５】
次に，維持期間はアドレスされたセルに実際に画像を表示するための維持放電を遂行する期間である。走査電極Ｙと維持電極ＸにＶｓ電圧と０Ｖ電圧を有する維持放電パルスが交互に印加されて，アドレス期間で選択されたセルに維持放電を起こす。
【００５６】
図５Ｂは，プラズマ表示パネル１００の温度が所定温度範囲を外れる場合の駆動波形を示す説明図である。
【００５７】
図５Ｂに示すように，プラズマ表示パネル１００の温度が上記所定温度範囲を外れる場合の駆動波形，例えば，所定温度範囲を上回って非常に高くなったり，所定温度範囲を下回って非常に低くなる場合の駆動波形は，図５Ａに示すプラズマ表示パネル１００の温度が所定温度範囲に入る場合の駆動波形とは異なる。
【００５８】
図５Ｂを参照すると，プラズマ表示パネル１００の温度が上記所定温度範囲を外れる場合リセット期間の終了後は，各電極に適切な正の壁電荷が蓄積されてない状態である。しかし，この時，図５Ａのように電力回収回路を利用したアドレス電圧Ｖａを印加すれば，アドレス放電がさらに不良になる。したがって，本発明の第１実施形態によると，上記のようにプラズマ表示パネル１００の温度が所定温度範囲を外れる場合，アドレス期間では，アドレス電極Ａにハードスイッチング動作を利用したアドレス電圧Ｖａをアドレス電極Ａに印加することによって，以降のアドレス放電を容易に行うようにする。
【００５９】
このように本発明の第１実施形態によると，パネルの温度が所定温度範囲である場合には，アドレス電力回収回路を利用して，アドレス電圧を生成するために消費電力を減らすことが可能で，パネルの温度が所定温度範囲を逸脱した場合には，電力回収回路を使用しないで，直接アドレス電圧を生成するため，アドレス放電の不良を防止することができる。
つまり，本発明の第１実施形態によれば，アドレス期間で消費電力を減少させると同時に，アドレス動作を安定的に実施できる。
【００６０】
上記時，前述したように，プラズマ表示パネル１００のアドレス放電が正常に行われる所定温度範囲，及び上記所定温度範囲を逸脱してアドレス放電が正常に行われない所定の温度，例えば，非常に高い温度または非常に低い温度は実験結果によって得られる。ところで，このように放電状態を左右する温度は，パネル上の位置に応じて異なり，パネル中央部では高温，パネル周縁部では中程度の温度と考えられる。また，このように高温化するパネルに半導体の制御回路を直接に装着することは好まれないので，パネルを取り付ける金属製シャーシー（プラズマ表示装置の一部）に印刷回路基板の形態で制御回路を装着することが多い。したがって，本発明に関する電力回収回路を温度によって制御する回路もシャーシー上（例えばアドレス放電用電力回収回路と同じ印刷回路基板）に装着することが自然である。このような実情を考慮すれば，温度測定はシャーシー面上で行うことが望ましく，特に，パネルの下縁・上縁・中央の各部に近接するシャーシー部位の後面で，少なくとも１箇所で，測定することが望ましく，また便利でもある。なお，複数箇所で測定する場合には，測定値を総合して代表値を構成する作業が必要であり，画面を分割して放電させる場合にも一斉切り替えにより各分割画面が同一スイッチング形式の電力回収回路に切り替えられて動作することが望ましい。更に，代表温度によって電力回収回路のスイッチング形式を切り替える動作は，即応型ではなくて，所定の不感時間または不感温度差を持つヒステリシス型の切り替え動作が望ましい。
【００６１】
一方，維持期間では，走査電極Ｙと維持電極Ｘに維持放電パルスを印加するために，電力回収回路を利用するのが一般的である。
【００６２】
以下では，維持駆動部３００に備えられた維持電極Ｘの駆動回路について図６を参照して説明する。
【００６３】
図６は本発明の実施形態による維持電極駆動回路を示す説明図である。上記維持電極駆動回路のスイッチング素子の特性及び基本構成は図４で説明したアドレス駆動部２００の駆動回路と同じであるため，重複した説明は省略する。
【００６４】
図６に示すように，本発明の実施形態による維持駆動部３００の駆動回路は電力回収回路及び維持駆動部を含む。
【００６５】
電力回収回路はキャパシタＣａ，スイッチング素子Ｘｒ，Ｘｆ，ダイオードＤ１，Ｄ２及びインダクタＬを含む。キャパシタＣａにはＶｓ/２電圧が充電されている。スイッチング素子Ｘｒのドレインとスイッチング素子Ｘｆのソースとの間には電力回収用キャパシタＣａが電気的に連結され，スイッチング素子Ｘｒ，ＸｆにはそれぞれダイオードＤ１，Ｄ２が直列に連結される。そしてダイオードＤ１，Ｄ２間の接続点と維持駆動部のスイッチング素子Ｘａ，Ｘｇ間の接続点との間にインダクタＬの一端が電気的に連結される。また，インダクタＬの他端にはパネルキャパシタＣｐが直列に連結される。ダイオードＤ１はスイッチング素子Ｘｒがボディダイオードを有する場合，パネルキャパシタＣｐの電圧を増加させる上昇経路を設定するためのものである。ダイオードＤ２はスイッチング素子Ｘｆがボディダイオードを有する場合，パネルキャパシタＣｐの電圧を下降させる下降経路を設定するためのものである。この時，スイッチング素子Ｘｒ，Ｘｆがボディダイオードを有しなければ，ダイオードＤ１，Ｄ２を除去してもよい。このように連結された電力回収回路はパネルキャパシタＣｐの電圧（つまり，維持電極の電圧）をＶｓ電圧で充電させたり０Ｖ電圧で放電させる役割を果たす。
【００６６】
維持駆動部は電力回収回路及びパネルキャパシタＣｐの間に連結され，二つのスイッチング素子Ｘａ，Ｘｇを含む。スイッチング素子Ｘａはアドレス電圧Ｖｓを供給する電源とパネルキャパシタＣｐとの間に連結されており，スイッチング素子Ｘｇは接地電圧を供給する電源とパネルキャパシタＣｐとの間に連結されている。このスイッチング素子Ｘａ，ＸｇはパネルキャパシタＣｐにＶｓ電圧及び０Ｖ電圧をそれぞれ供給する。
【００６７】
一方，図６の電力回収回路の構成及び具体的な電力回収動作に関する説明は，図４のアドレス駆動回路での電力回収回路の動作と同じであるため，重複した説明は省略する。
また，図６では維持駆動部２００の駆動回路を例として説明したが，上記維持駆動部２００において駆動回路の電力回収回路は電極のみが変わっただけで，走査駆動部５００においても同じであるため，これに対する説明は省略する。
【００６８】
一方，上記プラズマ表示パネル１００の温度が所定温度範囲以外の温度になる場合には，プラズマ状の壁電荷の動きが不安定で，図７のように電力回収回路のＬＣ共振を利用せず維持放電パルス電圧を印加する場合に比べて，エネルギー回収が可能な長所はあるけど，光の強さＬｓ２が光の強さＬｓ１より小さくなって（Ｌｓ２＜Ｌｓ１），パネルキャパシタの電圧が電圧Ｖｓまで到達する時間Δｔも遅延されるので，維持期間での維持放電が正常に行われなく，誤放電が発生する可能性が高い。
【００６９】
したがって，このような問題を解決するための方法を，図面を参照して本発明の第２実施形態で詳細に説明する。
【００７０】
（第２実施形態）
図８は，本発明の第２実施形態によるプラズマ表示装置の駆動波形を示す説明図である。特に，プラズマ表示パネル１００の温度が所定温度範囲を外れる場合，例えば，所定温度範囲を上回って非常に高くなったり，または所定温度範囲を下回って非常に低くなる場合のプラズマ表示装置の駆動波形を示す。
【００７１】
図８を参照すると，プラズマ表示パネル１００の温度が所定温度範囲を外れる場合，プラズマ状の壁電荷の動きが非常に不安定な状態である。この時，維持期間に，電力回収回路のＬＣ共振を通した維持放電パルス電圧を印加すれば，維持放電がさらに不良になって，誤放電が発生する可能性が高まる。
【００７２】
したがって，プラズマ表示パネル１００の温度が上記所定温度範囲以外の温度になる場合のサブフィールドでは，維持期間を少なくても二つのグループに分けて，維持放電パルスを印加する。
【００７３】
つまり，維持期間の第１グループではハードスイッチングを通じた維持放電パルス電圧を印加し，連結される第２グループでは電力回収回路のＬＣ共振を通じた維持放電パルス電圧を印加する。
【００７４】
このようにすることで，プラズマ表示パネル１００の温度が所定温度範囲以外の温度になる場合，プラズマ状の壁電荷の動きが不安定な状態では，維持期間の一部で光の強さを強くするハードスイッチングによる維持放電パルス電圧Ｖｓの印加を通じて維持放電を安定化させる期間を有し，維持放電が安定された以降では，再び電力回収回路のＬＣ共振を通じた維持放電パルス電圧Ｖｓを印加して電力を回収することができる。
【００７５】
したがって，プラズマ表示パネル１００の温度が所定温度範囲を逸脱した場合，サブフィールドの維持期間での誤放電を防止することができる。
【００７６】
一方，プラズマ表示パネル１００の温度が所定温度範囲以外の温度になる場合，プラズマ表示装置を駆動する場合に発生する誤放電を防止するための方法として，本発明の第１実施形態及び第２実施形態でアドレス期間と維持期間を分けて説明したが，これは本発明の他の実施形態が持つアドレス期間及び維持期間にも同時に適用することもできる。
【００７７】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００７８】
本発明は，プラズマ表示装置に適用可能である。
【図面の簡単な説明】
【００７９】
【図１Ａ】アドレス期間にアドレス電極に印加される波形を示した説明図である。
【図１Ｂ】アドレス期間にアドレス電極に印加される波形を示した説明図である。
【図２】本発明の実施形態によるプラズマ表示パネルの電極配列を示す説明図である。
【図３】本発明の実施形態によるプラズマ表示装置の構成を示す説明図である。
【図４】本発明の実施形態によるアドレス駆動回路を示す説明図である。
【図５Ａ】本発明の第１実施形態によるプラズマ表示装置の駆動波形を示す説明図である。
【図５Ｂ】本発明の第１実施形態によるプラズマ表示装置の駆動波形を示す説明図である。
【図６】本発明の実施形態による維持駆動回路を示す説明図である。
【図７】維持期間に走査電極及び維持電極に印加される波形を示す説明図である。
【図８】本発明の第２実施形態によるプラズマ表示装置の駆動波形を示す説明図である。
【符号の説明】
【００８０】
１２  放電セル
１００  プラズマ表示パネル
２００  アドレス駆動部
３００  走査駆動部
４００  維持駆動部
５００  パネル温度測定部
６００  制御部
【図１Ａ】
2006201777.tif 000003
【図１Ｂ】
2006201777.tif 000004
【図２】
2006201777.tif 000005
【図３】
2006201777.tif 000006
【図４】
2006201777.tif 000007
【図５Ａ】
2006201777.tif 000008
【図５Ｂ】
2006201777.tif 000009
【図６】
2006201777.tif 000010
【図７】
2006201777.tif 000011
【図８】
2006201777.tif 000012